(57)【要約】      （修正有）【課題】光源位置や投光角度を調整することができ、且つ商品周囲を明るく照明できる照明装置を提供する。【解決手段】所定の直線Ｌに沿って延伸するレール手段２と、レール手段２に固定され、所定の直線Ｌに平行する光源を提供できるように構成される固定投光手段４と、レール手段２に沿って移動できるようにレール手段２に取付けられて投光目標を調整することができる可動投光手段３とを具えている。【選択図】図１
0003189674.tif 000002
【実用新案登録請求の範囲】
【請求項１】
所定の直線に沿って延伸するレール手段と、
前記レール手段に固定され、前記所定の直線に平行する光源を提供できるように構成される固定投光手段と、
前記レール手段に沿って移動できるように前記レール手段に取付けられて投光目標を調整することができる可動投光手段とを具えていることを特徴とする照明装置。
【請求項２】
前記レール手段は、前記所定の直線に沿って延伸すると共に、第１面と前記第１面の反対側にある第２面とを有する平板部と、
前記平板部の前記所定の直線に沿う一端縁から、該一端縁において前記平板部と所定の鈍角を成すように前記第１面が向かう側へ斜めに延伸する斜板部と、
前記所定の直線に沿って延伸すると共に、前記平板部の前記第２面から突設されているレールとを有するように形成されており、
前記固定投光手段は、前記斜板部の前記第２面が向かう側へ斜めに面する斜面に固定されており、
前記可動投光手段は、前記レールに摺動可能に取付けられていることを特徴とする請求項１に記載の照明装置。
【請求項３】
前記レールは、前記レール手段の前記平板部から突設されている一対のレールバーからなり、
前記一対のレールバーがそれぞれ有する互いに向い合う内側面に、前記所定の直線に沿って延伸する取付け溝が凹設されており、
更に、前記可動投光手段を制御する制御回路基板を有し、前記制御回路基板は、前記一対のレールバーにそれぞれ凹設されている前記取付け溝に嵌め込まれていることを特徴とする請求項２に記載の照明装置。
【請求項４】
前記可動投光手段は、前記制御回路基板の前記第２面が向かう側の端面を覆いながら前記一対のレールバーを両側から挟むように前記一対のレールバーに摺動可能に取付けられている摺動部と、前記摺動部により揺動可能に枢支されていると共に、その自由端から発光できるように配置構成されている投光部とを有しており、
更に、前記制御回路基板は、前記所定の直線に沿って延伸する固定端子をその前記第２面が向かう側の端面に有しており、
前記摺動部は、常に前記制御回路基板が有する前記固定端子と接触して電気的に接続している接触端子を有していることを特徴とする請求項３に記載の照明装置。
【請求項５】
前記所定の鈍角の角度は、９５°〜１７５°の範囲内にあることを特徴とする請求項２に記載の照明装置。
【請求項６】
前記所定の鈍角の角度は、略１３５°であることを特徴とする請求項２に記載の照明装置。
【請求項７】
前記レール手段は、アルミ押出形材であることを特徴とする請求項２に記載の照明装置。
【請求項８】
前記平板部の前記第１面に、前記レール手段を固定するための少なくとも１つの固定手段が取り付けられていることを特徴とする請求項２に記載の照明装置。
【請求項９】
前記固定手段は、前記平板部の前記第１面に取付けられている取付けブロックと、前記取付けブロックから前記第１面が向かう側に向かって突起する固定ピンとを有していることを特徴とする請求項８に記載の照明装置。
【請求項１０】
前記固定投光手段は、
前記所定の直線と平行に延伸するように前記斜面に固定されているＬＥＤ回路基板と、前記所定の直線と平行に並ぶように前記ＬＥＤ回路基板に取付けられている複数のＬＥＤモジュールとを有していることを特徴とする請求項２に記載の照明装置。
【考案の詳細な説明】
【技術分野】
【０００１】
本考案は照明装置に関し、特に、照明効果が向上された照明装置に関する。
【背景技術】
【０００２】
ショーケース内に収容される商品をより美しく魅力的に展示するには、該商品に当るライトが重要な役割を演じている。また、商品に当るライトの最適な角度も、商品ごとに異なるので、ショーケースに取り付けられてライトを投光する光源も、光源位置や投光角度を調整できるものが好ましい。
【０００３】
一方、光源位置や投光角度を調整できる光源のみ有する場合では、商品周囲の明るさが不足する状態になりかねない。
【考案の概要】
【考案が解決しようとする課題】
【０００４】
上記問題点に鑑みて、本考案は光源位置や投光角度を調整することができ、且つ商品周囲を明るく照明できる照明装置の提供を目的とする。
【課題を解決するための手段】
【０００５】
上記目的を達成すべく、本考案は、所定の直線に沿って延伸するレール手段と、前記レール手段に固定され、前記所定の直線に平行する光源を提供できるように構成される固定投光手段と、前記レール手段に沿って移動できるように前記レール手段に取付けられて投光目標を調整することができる可動投光手段とを具えていることを特徴とする照明装置を提供する。
【０００６】
上記照明装置において、前記レール手段は、前記所定の直線に沿って延伸すると共に、第１面と前記第１面の反対側にある第２面とを有する平板部と、前記平板部の前記所定の直線に沿う一端縁から、該一端縁において前記平板部と所定の鈍角を成すように前記第１面が向かう側へ斜めに延伸する斜板部と、前記所定の直線に沿って延伸すると共に、前記平板部の前記第２面から突設されているレールとを有するように形成されており、前記固定投光手段は、前記斜板部の前記第２面が向かう側へ斜めに面する斜面に固定されており、前記可動投光手段は、前記レールに摺動可能に取付けられていることが好ましい。
【０００７】
上記照明装置において、前記レールは、前記レール手段の前記平板部から突設されている一対のレールバーからなり、前記一対のレールバーがそれぞれ有する互いに向い合う内側面に、前記所定の直線に沿って延伸する取付け溝が凹設されており、更に、前記可動投光手段を制御する制御回路基板を有し、前記制御回路基板は、前記一対のレールバーにそれぞれ凹設されている前記取付け溝に嵌め込まれていることが好ましい。
【０００８】
上記照明装置において、前記可動投光手段は、前記制御回路基板の前記第２面が向かう側の端面を覆いながら前記一対のレールバーを両側から挟むように前記一対のレールバーに摺動可能に取付けられている摺動部と、前記摺動部により揺動可能に枢支されていると共に、その自由端から発光できるように配置構成されている投光部とを有しており、更に、前記制御回路基板は、前記所定の直線に沿って延伸する固定端子をその前記第２面が向かう側の端面に有しており、前記摺動部は、常に前記制御回路基板が有する前記固定端子と接触して電気的に接続している接触端子を有していることが好ましい。
【０００９】
上記照明装置において、前記所定の鈍角の角度は、９５°〜１７５°の範囲内にあることが好ましい。
【００１０】
上記照明装置において、前記所定の鈍角の角度は、略１３５°であることがより好ましい。
【００１１】
上記照明装置において、前記レール手段は、アルミ押出形材であることが好ましい。
【００１２】
上記照明装置において、前記平板部の前記第１面に、前記レール手段を固定するための少なくとも１つの固定手段が取り付けられていることが好ましい。
【００１３】
上記照明装置において、前記固定手段は、前記平板部の前記第１面に取付けられている取付けブロックと、前記取付けブロックから前記第１面が向かう側に向かって突起する固定ピンとを有していることが好ましい。
【００１４】
上記照明装置において、前記固定投光手段は、前記所定の直線と平行に延伸するように前記斜面に固定されているＬＥＤ回路基板と、前記所定の直線と平行に並ぶように前記ＬＥＤ回路基板に取付けられている複数のＬＥＤモジュールとを有していることが好ましい。
【考案の効果】
【００１５】
上記構成による本考案の照明装置は、所定の直線に沿って延伸するレール手段に固定され、前記所定の直線に平行する光源を提供できるように構成される固定投光手段と、レール手段に沿って移動できるようにレール手段に取付けられて投光目標を調整することができる可動投光手段とを具えているので、可動投光手段の光源位置や投光角度を調整することができ、且つ固定投光手段で商品周囲を明るく照明できる照明装置を提供することができる。
【図面の簡単な説明】
【００１６】
【図１】本考案の照明装置の好ましい実施形態の外部構成が示されている斜視図である。
【図２】本考案の照明装置の好ましい実施形態の構成が示されている断面図である。
【考案を実施するための形態】
【００１７】
以下では各図面を参照しながら、本考案の照明装置の好ましい実施形態について詳しく説明する。
【００１８】
図１は本考案の照明装置の好ましい実施形態の外部構成が示されている斜視図であり、図２は本考案の照明装置の好ましい実施形態の構成が示されている断面図である。
【００１９】
図示されているように、本考案の照明装置は、所定の直線Ｌに沿って延伸するレール手段２と、レール手段２に固定され、所定の直線Ｌに平行する光源を提供できるように構成される固定投光手段４と、レール手段２に沿って移動できるようにレール手段２に取付けられて投光目標を調整することができる可動投光手段３とを具えていることを特徴とする照明装置である。
【００２０】
レール手段２は、所定の直線Ｌに沿って延伸すると共に、第１面２０１（即ち図中の上面）と第１面２０１の反対側にある第２面２０２（即ち図中の下面）とを有する平板部２１１と、平板部２１１の所定の直線Ｌに沿う一端縁から、該一端縁において平板部２１１と所定の鈍角θを成すように第１面２０１が向かう側へ斜めに延伸する斜板部２１４と、所定の直線Ｌに沿って延伸すると共に、平板部２１１の第２面２０２から突設されているレール２２とを有するように形成されている。
【００２１】
ここで、平板部２１１と斜板部２１４とが成す所定の鈍角θの角度は、９５°〜１７５°の範囲内にあることが好ましく、そしてこの実施形態において平板部２１１と斜板部２１４とが成す所定の鈍角θは作製例として１３５°に定められている。
【００２２】
また、この実施形態において、平板部２１１の第２面２０２から突設されているレール２２は、一対のレールバー２２１からなり、一対のレールバー２２１がそれぞれ有する互いに向い合う内側面に、所定の直線Ｌに沿って延伸する取付け溝２２２が凹設されている。更に、可動投光手段３を制御する制御回路基板２３を有し、制御回路基板２３は、一対のレールバー２２１にそれぞれ凹設されている取付け溝２２２に嵌め込まれている。
【００２３】
ちなみに、図示のように、この実施形態における平板部２１１は、凹凸を有しない板状体ではなく、第２面２０２に溝が形成され、第１面２０１に前記溝に対応する突起があるが、本考案においてこの溝や突起は必要ではないため、板状体と見なして平板部と名づけている。
【００２４】
更にまた、平板部２１１の第２面２０２に形成されている溝によって、制御回路基板２３と平板部２１１の第２面２０２との間に収容空間２１６が画成されている。この収容空間２１６の存在によって回路基板２３の第２面２０２に向かう側に電子部材が突起する余裕または配線が通過できる空間が作られているが、回路基板２３の配置構成によって、収容空間２１６を形成しなくても構わない。
【００２５】
平板部２１１の第１面２０１には、レール手段２を固定するための複数の固定手段５が取り付けられており、各固定手段５は、それぞれ平板部２１１の第１面２０１に取付けられている取付けブロック５１と、取付けブロック５１から第１面２０１が向かう側（即ち上側）に向かって突起する固定ピン５２とを有している。
【００２６】
ちなみに、この実施形態において、レール手段２の平板部２１１の所定の直線Ｌに沿う両端縁から第１面２０１と直交するように第１面２０１が向かう側へ突起する一対の直立壁２１２が形成されている。各固定手段５が有する取付けブロック５１は、一対の直立壁２１２の間に挟まれるようにレール手段２に固定されている。
【００２７】
また、この実施形態において、平板部２１１と斜板部２１４と一対の直立壁２１２とを有するレール手段２は、例えばアルミ押出成形により作製されたアルミ押出形材を使用することができる。
【００２８】
可動投光手段３は、一対のレールバー２２１からなるレール２２に摺動可能に取付けられており、固定投光手段４は、斜板部２１４の第２面２０２が向かう側へ斜めに面する斜面２１５に固定されている。
【００２９】
可動投光手段３は、制御回路基板２３の前記第２面２０２が向かう側（平板部２１１の下面が向かう側、即ち下側）の端面を覆いながら一対のレールバー２２１を両側から挟むように一対のレールバー２２１に摺動可能に取付けられている摺動部３１と、摺動部３１により揺動可能に枢支されていると共に、その自由端から発光できるように配置構成されている投光部３３とを有している。
【００３０】
更に、制御回路基板２３は、所定の直線Ｌに沿って延伸する一対の固定端子２４をその第２面２０２が向かう側（即ち下側）の端面に有しており、摺動部３１は、常に制御回路基板２３が有する一対の固定端子２４とそれぞれ接触して電気的に接続している一対の接触端子３１１を有している。
【００３１】
固定投光手段４は、所定の直線Ｌと平行に延伸するように斜面２１５に固定されているＬＥＤ回路基板４１と、所定の直線Ｌと平行に並ぶようにＬＥＤ回路基板４１に取付けられている複数のＬＥＤモジュール４２とを有している。
【産業上の利用可能性】
【００３２】
上記構成による本考案の照明装置は、所定の直線に沿って延伸するレール手段に固定され、前記所定の直線に平行する光源を提供できるように構成される固定投光手段と、レール手段に沿って移動できるようにレール手段に取付けられて投光目標を調整することができる可動投光手段とを具えているので、可動投光手段の光源位置や投光角度を調整することができ、且つ固定投光手段で商品周囲を明るく照明できる照明装置を提供することができる。
【符号の説明】
【００３３】
２    レール手段
２０１    第１面
２０２    第２面
２１１    平板部
２１２    直立壁
２１４    斜板部
２１６    収容空間
２２    レール
２２１    レールバー
２２２    取付け溝
２３    制御回路基板
２４    固定端子
３    可動投光手段
３１    摺動部
３１１    接触端子
３３    投光部
４    固定投光手段
４１    ＬＥＤ回路基板
４２    ＬＥＤモジュール
５    固定手段
５１    取付けブロック
５２    固定ピン
Ｌ    所定の直線
【図１】
0003189674.tif 000003
【図２】
0003189674.tif 000004